(57)【要約】【課題】作業時の安全性が良好な遠隔監視制御装置を提供する。【解決手段】通信モジュール１０、制御回路２０、インタフェイス回路３００を備えた遠隔監視制御装置１において、前記インタフェイス回路３００は端子台１５１、設定切替用のジャンパスイッチ３２０、発熱性部品３４１，３４２，３５１，３５２を備える。該インタフェイス回路３００は第１の筐体１００に収容された回路基板１５０に実装される。第１の筐体１００は、開口部を有する筐体本体１１０と蓋１２０とを含む。端子台１５１、ジャンパスイッチ３２０は筐体本体１１０の開口部から露出するように実装され、且つ、発熱性部品３４１，３４２，３５１，３５２は筐体本体１１０の開口部から隠されるよう実装する。【選択図】  図４
2010148001.tif 000002
【特許請求の範囲】
【請求項１】
無線パケット通信網との接続用の通信モジュールと、
前記通信モジュールを用いた通信処理及び監視対象の監視処理を行う制御回路と、
前記制御回路と監視対象とのインタフェイス回路と、
少なくとも前記インタフェイス回路が実装された回路基板と、
該回路基板を収容した箱状の筐体とを備え、
前記インタフェイス回路は発熱性部品及び接続端子とを含み、
前記筐体は開口部が形成された筐体本体と該筐体本体の開口部を閉鎖する蓋体とを含み、
前記接続端子は前記開口部から露出する位置に実装され且つ前記発熱性部品は前記開口部から隠れた位置に実装された
ことを特徴とする遠隔監視制御装置。
【請求項２】
前記筐体本体の開口部は、筐体本体の上面の一部から該上面に隣接する側面に亘って形成されている
ことを特徴とする請求項１記載の遠隔監視制御装置。
【請求項３】
前記筐体本体は、上面の開口部の縁部から底面方向に延びた仕切板を備えた
ことを特徴とする請求項２記載の遠隔監視制御装置。
【請求項４】
前記インタフェイス回路は、監視対象からの信号取得方法を切り替える切替手段を備え、該切替手段は筐体本体の開口部から露出するように前記回路基板上に実装した
ことを特徴とする請求項１乃至３何れか１項記載の遠隔監視制御装置。
【請求項５】
前記インタフェイス回路の発熱性部品は、監視対象からの交流信号又は直流信号を電圧降下させる抵抗器を含む
ことを特徴とする請求項１乃至４何れか１項記載の遠隔監視制御装置。
【請求項６】
前記インタフェイス回路の発熱性部品は、前記制御回路への信号伝送用に設けたフォトカプラの駆動用半導体素子を含む
ことを特徴とする請求項１乃至５何れか１項記載の遠隔監視制御装置。
【発明の詳細な説明】
【技術分野】
【０００１】
本発明は、無線パケット通信網を介して機器の監視や制御を遠隔で行う遠隔監視制御装置に関する。
【背景技術】
【０００２】
近年、無線パケット通信網を介して情報の収集等を行うテレメトリングが普及してきている。テレメトリングとは、元来は、通信回線を使って計量器の計量値を読み出す仕組みのことの総称であった。しかし、近年は、一般的に、データの読み取りだけでなく、機器の動作監視や遠隔制御にも用いる用語である。テレメトリングの代表的な例としては、自動販売機の販売管理システム，ガス・水道などの使用量管理システム、ボイラーなど各種機器の動作監視システム、無人駐車場における管理システムなどが挙げられる。このようなテレメトリングの分野においては、監視対象や制御対象の機器に遠隔監視制御装置が並設される。特許文献１には遠隔監視制御装置の一例が記載されている。該特許文献１に記載されている遠隔監視制御装置はガスの供給量を監視するシステムとして使用されるものであり、該遠隔監視制御装置には監視データを発生させる圧力発信器が接続されている。この圧力発信器は、ガスの供給圧を調整するガバナの２次圧を検出する装置である。該圧力発信器には、遠隔監視制御装置からＤＣ２４Ｖが供給され、検出圧力に対応するアナログデータが遠隔監視制御装置に入力される。
【特許文献１】特開平６−１４１３６９号公報
【発明の開示】
【発明が解決しようとする課題】
【０００３】
しかし、上記遠隔監視制御装置ではガスの供給量の監視に特化した装置であるため他のシステムに適用することができないという問題があった。すなわち、遠隔監視制御装置への入力信号は、上述のように接続機器がセンサ等である場合には遠隔監視制御装置からの電源供給が必要であるが該電源の要求仕様は機器によって様々である。また遠隔監視制御装置への入力信号が交流信号であったり直流信号である場合もあり、さらにその最大電圧等も様々である。そこで、遠隔監視制御装置に各種入力形態に応じたインタフェイス回路を設けることが考えられる。この場合インタフェイス回路は、特に高電圧に対応する必要があるため例えば抵抗器やトランジスタ等の部品の発熱量が高くなることがある。そして、このような場合、遠隔監視制御装置に機器との配線を接続する際や設定変更などの作業時には発熱性の部品が作業者に触れてやけど等の事故につながるおそれがある。
【０００４】
本発明は、上記事情に鑑みてなされたものであり、その目的とするところは、作業時の安全性が良好な遠隔監視制御装置を提供することにある。
【課題を解決するための手段】
【０００５】
上記目的を達成するために、本願発明に係る遠隔監視制御装置は、無線パケット通信網との接続用の通信モジュールと、前記通信モジュールを用いた通信処理及び監視対象の監視処理を行う制御回路と、前記制御回路と監視対象とのインタフェイス回路と、少なくとも前記インタフェイス回路が実装された回路基板と、該回路基板を収容した箱状の筐体とを備え、前記インタフェイス回路は発熱性部品及び接続端子とを含み、前記筐体は開口部が形成された筐体本体と該筐体本体の開口部を閉鎖する蓋体とを含み、前記接続端子は前記開口部から露出する位置に実装され且つ前記発熱性部品は前記開口部から隠れた位置に実装されたことを特徴とする。
【０００６】
本発明によれば、蓋体を筐体本体から取り外すと、その開口部からは接続端子が露出しているが発熱性部品は隠れた状態となっている。したがって、接続端子に監視対象との配線を接続する作業において、作業者が発熱性部品に触れることを防止できるので安全性に優れたものとなる。
【０００７】
本発明の好適な態様の一例として、前記筐体本体の開口部が、筐体本体の上面の一部から該上面に隣接する側面に亘って形成されているものを提案する。またこの場合、上面の開口部の縁部から底面方向に延びた仕切板を形成すると、より好適である。さらに、前記インタフェイス回路が、監視対象からの信号取得方法を切り替える切替手段を備えたものの場合、該切替手段を筐体本体の開口部から露出するように前記回路基板上に実装すると、当該切替手段の操作も安全に行うことができて好適である。
【０００８】
なお、前記インタフェイス回路の発熱性部品としては、例えば、監視対象からの交流信号又は直流信号を電圧降下させる抵抗器や、前記制御回路への信号伝送用に設けたフォトカプラの駆動用半導体素子などが挙げられる。
【発明の効果】
【０００９】
以上説明したように本発明によれば、蓋体を筐体本体から取り外すと、その開口部からは接続端子が露出しているが発熱性部品は隠れた状態となっている。したがって、接続端子に監視対象との配線を接続する作業において、作業者が発熱性部品に触れることを防止できるので安全性に優れたものとなる。
【発明を実施するための最良の形態】
【００１０】
本発明の一実施の形態に係る遠隔監視制御装置について図面を参照して説明する。図１は蓋を取り外した状態の遠隔監視制御装置の斜視図、図２は遠隔監視制御装置の機能ブロック図である。
【００１１】
図１に示すように、本実施の形態に係る遠隔監視制御装置１は、箱状の第１の筐体１００と、第１の筐体１００の上面に付設された箱状の第２の筐体２００とを備えている。第１の筐体１００は、薄型箱状の上面から縁部に亘って傾斜面が形成されている。第１の筐体１００は、上面の一部から傾斜面並びに傾斜面に隣接する側面（前面）に亘って開口した筐体本体１１０と、該筐体本体１１０の開口部を閉鎖する蓋１２０とを備えている。筐体本体１１０は、上面開口部の縁部から底面方向に延びる仕切板１１１を備えている。また、筐体本体１１０の側面には、配線を通すための貫通孔１１２が形成されている。該貫通孔１１２にはグロメット１１３が装着されている。
【００１２】
図２に示すように、遠隔監視制御装置１は、無線パケット通信網に接続するための通信モジュール１０と、該通信モジュール１０を用いた通信処理及び監視対象機器の監視処理や制御処理を行う制御回路２０と、監視対象機器とのインタフェイス回路３００とを備えている。前記制御回路２０は第２の筐体２００内に配置された回路基板（図示省略）上に実装されている。また通信モジュール１０も第２の筐体２００内に配置されている。一方、インタフェイス回路３００は第１の筐体１００内に配置された回路基板１５０上に実装されている。第２の筐体２００内に配置されている回路基板（図示省略）と第１の筐体１００内に配置された回路基板１５０とは、筐体間に形成した通路に配置したケーブル（図示省略）により電気的に接続されている。
【００１３】
図３にインタフェイス回路３００の回路図を示す。本実施の形態では、インタフェイス回路３００は８個の入力チャンネルを有するが、ここでは説明を簡単にするため１つの入力チャンネルのみについて説明する。
【００１４】
このインタフェイス回路３００は種々の監視データを入力できるよう設計されている。具体的には、監視対象機器又は該機器に付設したセンサ類が出力する交流信号及び直流信号を入力可能である。また、監視対象機器又は該機器に付設したセンサ類が監視データを出力するために電源の供給が必要な場合にも対応可能となっている。例えば、センサ類がスイッチング素子や抵抗値が変化する素子の場合などが挙げられる。以下にインタフェイス回路３００についてさらに具体的に詳述する。
【００１５】
インタフェイス回路３００は、３端子の入力端子３０１，３０２，３０３を備えている。ここで交流信号又は直流信号を監視する場合には、入力端子３０１と入力端子３０２を用いる。なお直流信号を監視する場合には、入力端子３０１が正極であり入力端子３０２は負極である。一方、電源供給を必要とする場合には、入力端子３０２と入力端子３０３を用いる。
【００１６】
入力端子３０３はフューズ３１２を介してグランドに接地している。入力端子３０１にはフューズ３１１を介して、回路保護用のバリスタ３１３の一方の端子に接続している。バリスタ３１３の他方の端子は入力端子３０２に接続している。バリスタ３１３の一方の端子（入力端子３０１側）は、ジャンパスイッチ３２０の第３の端子３２３に接続されている。ジャンパスイッチ３２０の第１の端子３２１には電源が接続されている。該ジャンパスイッチ３２０は、交流信号又は直流信号を監視する場合にはジャンパピン（図示省略）を用いて第２の端子３２２及び第３の端子３２３間を短絡する。一方、電源供給を必要とする場合には、ジャンパピンを用いて第１の端子３２１及び第２の端子３２２間を短絡する。
【００１７】
ジャンパスイッチ３２０の第２の端子３２２は整流用のダイオード３３１のアノードに接続している。また、バリスタ３１３の他方の端子（入力端子３０２側）は整流用のダイオード３３２のカソードに接続している。ダイオード３３１のカソードは電流制限用の２つの抵抗器３４１，３４２を介してシャントレギュレータ３４３のカソードに接続している。シャントレギュレータ３４３は定電圧用であり、レファレンス端子はカソードに接続しており、アノードはダイオード３３２のアノードにカソードに接続している。シャントレギュレータ３４３のカソード及びアノード間にはキャパシタ３４４及び抵抗器３４５が接続しており、さらにダーリントン接続されたＮＰＮ型のトランジスタ３５１，３５２が接続している。トランジスタ３５２のエミッタは抵抗器３５３を介して前記抵抗器３４５に接続している。トランジスタ３５１，３５２のコレクタはフォトカプラ３６１のカソードに接続している。フォトカプラ３６１のアノードはダイオード３３１のカソードに接続している。フォトカプラ３６１の受光素子側は制御回路２０に接続されている。
【００１８】
次にインタフェイス回路３００の動作について説明する。まず、交流信号又は直流信号を監視する場合について説明する。入力端子３０１と入力端子３０２の間に印加された信号はダイオード３３１，３３２により整流される。整流された信号は抵抗器３４１，３４２により電圧降下され、さらにシャントレギュレータ３４２により定電圧化され、トランジスタ３５１，３５２を駆動する。そして、該トランジスタ３５１，３５２の動作によりフォトカプラ３６１が駆動される。これにより入力信号は制御回路２０に伝達される。ここで、特に高圧の信号（例えばＡＣ２００ＶやＡＣ１００Ｖ）を入力する場合には、抵抗器３４１，３４２の発熱量は大きくなる。
【００１９】
次に、電源供給を必要とする場合について説明する。この場合ジャンパスイッチ３２０の第１の端子３２１と第２の端子３２２がジャンパピンにより短絡され、電源が抵抗器３４２，３４２、トランジスタ３５１，３５２等の回路を介して入力端子３０２に供給される。入力端子３０２・３０３間にはセンサ等が接続されており、また入力端子３０３はグランドに接地されているので、トランジスタ３５１，３５２はセンサ等の状態に応じて動作する。そして、該トランジスタ３５１，３５２の動作によりフォトカプラ３６１が駆動されるので、センサ等の状況が入力信号として制御回路２０に伝達される。
【００２０】
本実施の形態に係る遠隔監視制御装置１は上記インタフェイス回路３００の実装方法が特徴的である。該特徴点について前述の図１、並びに図４及び図５を参照して説明する。図４は遠隔監視制御装置１の側面断面図、図５はインタフェイス回路３００の上面図である。なお、ここでは説明の簡単のため、本発明の主旨に関連する部品のみ説明するものとする。
【００２１】
インタフェイス回路３００は回路基板１５０上に実装されている。回路基板１５０は、第１の筐体１００の筐体本体１１０の底面よりやや小さい矩形のものであり、スペーサーを介して筐体本体１１０の底面に取り付けられている。回路基板１５０の開口部側の縁部には複数の端子台１５１が実装されている。各端子台１５１はそれぞれ複数の端子を有しており、各端子は前記入力端子３０１〜３０３に対応する。該端子台１５１の近傍であって仕切板１１１側にはジャンパスイッチ３２０が配置されている。さらに、ジャンパスイッチ３２０よりも奥には抵抗器３４１，３４２、トランジスタ３５１，３５２が実装されている。ここで注目すべき点は、抵抗器３４１，３４２、トランジスタ３５１，３５２は、仕切板１１を挟んで筐体本体１１０の開口部とは反対側に配置されていることである。換言すれば、前記端子台１５１やジャンパスイッチ３２０は筐体本体１１０の開口部から露出しているが、発熱性部品である抵抗器３４１，３４２、トランジスタ３５１，３５２は仕切板１１１により開口部から隠されている。これにより、作業者が端子台１５１に配線を接続する作業やジャンパスイッチ３２０の操作の際に、発熱性部品に手が触れることを防止できる。
【００２２】
このように本発明に係る遠隔監視制御装置１によれば、端子台１５１への配線作業やジャンパスイッチ３２０の操作において、作業者が抵抗器やトランジスタなどの発熱性部品に触れることを防止できるので安全性に優れたものとなる。
【００２３】
以上本発明の一実施の形態について詳述したが本発明はこれに限定されるものではない。例えば上記実施の形態では第１の筐体１００にインタフェイス回路３００を収容し第２の筐体２００に通信モジュール１０及び制御回路２０を収容したが１つの筐体に収容するようにしてもよい。また、上記実施の形態では発熱性部品として抵抗器及びトランジスタについて例示したが、他の部品であっても本発明を適用できる。
【図面の簡単な説明】
【００２４】
【図１】蓋を取り外した状態の遠隔監視制御装置の斜視図
【図２】遠隔監視制御装置の機能ブロック図
【図３】インタフェイ回路の回路図
【図４】遠隔監視制御装置の側面断面図
【図５】インタフェイス回路の上面図
【符号の説明】
【００２５】
１０…通信モジュール、２０…制御回路、１００…第１の筐体、１１０…筐体本体、１２０…蓋、１５０…回路基板、１５１…端子台、２００…第２の筐体、３００…インタフェイス回路、３２０…ジャンパスイッチ、３４１，３４２…抵抗器、３５１，３５２…トランジスタ。
【図１】
2010148001.tif 000003
【図２】
2010148001.tif 000004
【図３】
2010148001.tif 000005
【図４】
2010148001.tif 000006
【図５】
2010148001.tif 000007